(57)【特許請求の範囲】
【請求項１】
前面開口した直方体状の器具本体と、前記器具本体内に配設され光源を点灯させる点灯装置と、矩形状の表示パネルおよび前記表示パネルの後面側に配設され端面に対向配置された前記光源の光を前記表示パネルへ導光する導光板を有し前記器具本体の前面に沿って設けられる表示ユニットと、前記表示ユニットを前記器具本体へ前記器具本体の前面に沿ってスライド自在に取り付けるユニット取付手段とを備え、前記ユニット取付手段は、前記器具本体の内側面から前記器具本体の前面に沿って突設された保持片と前記器具本体の内側面から前記器具本体の前後方向に沿って突設された規制片とからなるガイド壁と、前記表示ユニットの後面からスライド方向に沿って後方に突出した突出片と突出片から外方へ延設され前記保持片に重複し且つ前記規制片に当接する支持片とからなりガイド壁に係合する係合突起とを備え、前記支持片における前記表示ユニットの後面との対向面には、前記器具本体への取付時のスライド方向において先にガイド壁に係合する側ほど前記後面との距離を大きくする傾斜面が形成されてなることを特徴とする表示用照明器具。
【請求項２】
前記表示ユニットは、前記器具本体の上下方向へスライド自在であって下方向にスライドさせることにより前記器具本体に取り付けられてなることを特徴とする請求項１記載の表示用照明器具。
【請求項３】
前記表示ユニットは、前記器具本体に対して左右方向にスライド自在であることを特徴とする請求項１記載の表示用照明器具。
【請求項４】
前記表示ユニットは、前記器具本体の内側面に係合して前記器具本体の周壁の内方への変形を防止する変形防止突起が後面から突設されてなることを特徴とする請求項１記載の表示用照明器具。
【請求項５】
前記光源が内装され前記器具本体に着脱自在なランプホルダユニットを備え、前記ランプホルダユニットは、前記器具本体に前記表示ユニットが取り付けられた状態で前記器具本体に着脱自在であって、前記ランプホルダユニットの一部が前記表示パネルの上部に重なるように位置することで前記器具本体からの前記表示ユニットの離脱が防止されることを特徴とする請求項２記載の表示用照明器具。
【発明の詳細な説明】
【０００１】
【発明の属する技術分野】
本発明は、表示用照明器具に関するものである。
【０００２】
【従来の技術】
近年、各種の表示用照明器具において、光源として熱陰極の蛍光灯に比べて小型で輝度の高い冷陰極蛍光灯を用いたものが提供されている。例えば、表示用照明器具の一種である誘導灯においては、光源として冷陰極蛍光灯を用いたいわゆる高輝度誘導灯が提供されている。
【０００３】
この種の高輝度誘導灯としては、図１７に示すように、合成樹脂製であって前面開口した直方体状の器具本体１０’と、難燃性アクリル樹脂製の表示パネル２１および表示パネル２１の後面側に配設されたアクリル樹脂製の導光板３２を具備し器具本体１０’の前面に取り付けられる矩形板状の表示ユニット２０”と、導光板３２の上端面に対向配置される直管形の冷陰極蛍光灯（図示せず）および上記上端面に臨む側が開放された断面Ｕ字状の反射板（図示せず）が内装されたランプホルダユニット３０”とを備えた導光板式（若しくはパネル式と称される）の高輝度誘導灯が提供されている。
【０００４】
図１７に示す高輝度誘導灯は、器具本体１０’の上壁に天井直付け用の取付ねじ（図示せず）が挿通される一対のねじ挿通孔５８，５８が左右方向に離間して形成されており、天井面に上記取付ねじなどを用いて直付けされるものであって、器具本体１０’内には、上記冷陰極蛍光灯を点灯させる点灯装置４、点灯装置４に接続され器具本体１０’の上壁に穿孔した電線挿通穴５９を挿通させた電源電線を接続する端子台７などが収納されている。また、表示ユニット２０”は、導光板３２の上端面に対向配置された上記冷陰極蛍光灯からの光を導光板３２内での全反射により導光板３２の下端面側に導きながら導光板３２の後面に設けた光拡散部（図示せず）に入射させ、光拡散部で拡散した光のうち、表示パネル２１へ向かう光を表示パネル２１の前方に出射するものである。なお、上記冷陰極蛍光灯の両端部にはハーネス８０の電線８３が接続されており、ハーネス８０のコネクタ８２が器具本体１０’内において点灯装置４に電線５４を介して接続されたコネクタ８４に接続されている。また、ランプホルダユニット３０”は表示ユニット２０”に取り付けられ、ランプホルダユニット３０”が取り付けられた表示ユニット２０”が器具本体１０’に着脱自在に取り付けられる。
【０００５】
ここにおいて、表示ユニット２０”は、後面の左右両端部において上下方向の中央部から後方に向かって取付脚２９が突設されており、器具本体１０’の両側壁の内側面にそれぞれ設けられた装着部１５に各取付脚２９が挿入されることで表示ユニット２０”と器具本体１０’との上下左右の位置決めがなされるとともに、取付脚２９の側面に突設された係止突起２９ａと装着部１５に設けられた凹所（図示せず）とが凹凸係合し、取付脚２９と装着部１５との互いの当接面の摩擦と上記凹凸係合により表示ユニット２０”が器具本体１０’に強固に取り付けられている。ここに、表示ユニット２０”の器具本体１０’への取付強度を高めるには、表示ユニット２０”の後面からの取付脚２９の突出寸法を大きくすることが望ましい。一方、器具本体１０’から表示ユニット２０”を取り外す場合には、表示ユニット２０”の側面の後部に設けられたスリット（図示せず）にマイナスドライバの先端部などを挿入して表示ユニット２０”が器具本体１０’から離れる向きの力を作用させた後に表示ユニット２０”を器具本体１０’の前方へ引き抜ぬけばよい。
【０００６】
要するに、図１７に示した高輝度誘導灯では、ランプホルダユニット３０”が取り付けられた表示ユニット２０”を器具本体１０’に対して前方から押し込むことにより器具本体１０’へ取り付け、器具本体１０’から前方へ表示ユニット２０”を引き抜くことにより器具本体１０’から表示ユニット２０”が取り外されるようになっている。
【０００７】
【発明が解決しようとする課題】
ところで、上記従来の高輝度誘導灯は、表示ユニット２０”の後面から突出した一対の取付脚２９が器具本体１０’の左右両側壁の内側に設けられた一対の装着部１５に挿入されるように表示ユニット２０”を器具本体１０’の前方から押し込むことにより器具本体１０’へ表示ユニット２０”を取り付け、表示ユニット２０”を器具本体１０’の前方へ引き抜くことで器具本体１０’から取り外すことができるが、表示ユニット２０”はアクリル樹脂製の導光板３２を具備し比較的重量の重いものであるから、表示ユニット２０”の着脱時にかなり大きな力を必要とする。
【０００８】
しかしながら、上記従来の高輝度誘導灯を天井に直付けした場合には、器具本体１０’の上壁に設けられたねじ挿通孔５８と器具本体１０’の両側壁の内側面に設けられた装着部１５との距離が比較的大きく、表示ユニット２０”の着脱時にねじ挿通孔５８の周りに大きなモーメントがかかるので、表示ユニット２０”の着脱作業に伴ってねじ挿通孔５８の周りが破損しないように器具本体１０’の構成を配慮しなければならず、器具本体１０’の薄型化および小型化の障害になる恐れがあった。また、器具本体１０’への表示ユニット２０”の取付強度を高めるには、表示ユニット２０”の後面からの取付脚２９の突出寸法を大きくする必要があるが、取付脚２９の突出寸法を大きくすると、器具本体１０’の薄型化の障害になるとともに、表示ユニット２０”の着脱作業に伴ってねじ挿通孔５８の周りの破損する恐れが高くなる。
【０００９】
本発明は上記事由に鑑みて為されたものであり、その目的は、薄型化および小型化が可能な表示用照明器具を提供することにある。
【００１０】
【課題を解決するための手段】
請求項１の発明は、前面開口した直方体状の器具本体と、前記器具本体内に配設され光源を点灯させる点灯装置と、矩形状の表示パネルおよび前記表示パネルの後面側に配設され端面に対向配置された前記光源の光を前記表示パネルへ導光する導光板を有し前記器具本体の前面に沿って設けられる表示ユニットと、前記表示ユニットを前記器具本体へ前記器具本体の前面に沿ってスライド自在に取り付けるユニット取付手段とを備えてなることを特徴とするものであり、前記表示ユニットを前記器具本体へ前記器具本体の前面に沿ってスライド自在に取り付けるユニット取付手段を備えているので、前記表示ユニットを前記器具本体の前面に沿ってスライドさせることにより前記器具本体に着脱でき、前記器具本体が取付ねじを用いて天井に直付けされている場合であっても従来に比べて前記表示ユニットの着脱作業に伴って取付ねじの周りで前記器具本体の上壁にかかる力を小さくできて前記器具本体の破損の恐れがないから、施工時および使用時の安全性を高めることが可能で前記器具本体の薄型化および小型化を図ることができ、結果的に照明器具全体の薄型化および小型化を図ることができる。
しかも、前記ユニット取付手段は、前記器具本体の内側面から前記器具本体の前面に沿って突設された保持片と前記器具本体の内側面から前記器具本体の前後方向に沿って突設された規制片とからなるガイド壁と、前記表示ユニットの後面からスライド方向に沿って後方に突出した突出片と突出片から外方へ延設され前記保持片に重複し且つ前記規制片に当接する支持片とからなりガイド壁に係合する係合突起とを備え、前記支持片における前記表示ユニットの後面との対向面には、前記器具本体への取付時のスライド方向において先にガイド壁に係合する側ほど前記後面との距離を大きくする傾斜面が形成されてなるので、前記表示ユニットのスライドが容易であり、また、前記器具本体が取付ねじを用いて天井に直付けされている場合であっても従来に比べて前記表示ユニットの着脱作業に伴って取付ねじの周りで前記器具本体の上壁にかかる力を小さくできる。
【００１１】
請求項２の発明は、請求項１の発明において、前記表示ユニットが、前記器具本体の上下方向へスライド自在であって下方向にスライドさせることにより前記器具本体に取り付けられているので、前記表示ユニットの着脱時には上下方向に力がかかり、前記器具本体が取付ねじを用いて天井に直付けされている場合であっても従来に比べて前記表示ユニットの着脱作業に伴って取付ねじの周りで器具本体の上壁にかかる力を小さくでき、照明器具全体の薄型化および小型化を図ることができる。
【００１２】
請求項３の発明は、請求項１の発明において、前記表示ユニットが、前記器具本体に対して左右方向にスライド自在なので、前記表示ユニットの着脱時には前記器具本体の左右方向に力がかかり、前記器具本体が取付ねじを用いて天井に直付けされている場合であっても従来に比べて前記表示ユニットの着脱作業に伴って取付ねじの周りで器具本体の上壁にかかる力を小さくでき、照明器具全体の薄型化および小型化を図ることができる。
【００１８】
請求項４の発明は、請求項１の発明において、前記表示ユニットは、前記器具本体の内側面に係合して前記器具本体の周壁の内方への変形を防止する変形防止突起が後面から突設されているので、前記器具本体の周壁の内側への反りによって前記器具本体への前記表示ユニットの取付精度が低下するのを防止することができるとともに照明器具全体の外観が損なわれるのを防止することができる。
【００１９】
請求項５の発明は、請求項２の発明において、前記光源が内装され器具本体に着脱自在なランプホルダユニットを備え、前記ランプホルダユニットが、前記器具本体に前記表示ユニットが取り付けられた状態で前記器具本体に着脱自在であって、前記ランプホルダユニットの一部が前記表示パネルの上部に重なるように位置することで前記器具本体からの前記表示ユニットの離脱が防止されるので、光源の交換に際しては前記ランプホルダユニットの着脱のみでよいから光源の破損を防止できて交換作業が容易になり、しかも、前記器具本体に前記表示ユニットが取り付けられた状態で前記ランプホルダユニットを前記器具本体へ取り付けることにより前記器具本体からの前記表示ユニットの離脱が防止されるから、前記ランプホルダユニットを取り外した状態で前記表示ユニットをスライドさせることにより前記器具本体から前記表示ユニットを取り外すことができる構成を採用しながらも前記ランプホルダユニット以外の部材を用いることなく前記表示ユニットの離脱を防止することができ、施工性が向上する。
【００２１】
【発明の実施の形態】
（実施形態１）
本実施形態では、図１および図２に示す構成の高輝度誘導灯（以下、誘導灯と略称する。）を例示する。以下、本実施形態の誘導灯について図１ないし図９を参照しながら説明する。
【００２２】
本実施形態の誘導灯は、前面開口した直方体状の器具本体１０と、矩形状（本実施形態では、正方形状）の表示パネル２１を有し器具本体１０の前面開口の大部分を覆う表示ユニット２０と、光源たる直管形の冷陰極蛍光灯（図示せず）を保持し器具本体１０の前面開口のうち表示ユニット２０により覆われていない残りの部分を覆うように表示ユニット２０の上縁に沿って配設されたランプホルダユニット３０とを備えている。ここに、表示ユニット２０は、避難口へ誘導するためのシンボルが表記され透光性を有するアクリル樹脂製の表示パネル２１と、表示パネル２１の後面側に配設され上記冷陰極蛍光灯の光を表示パネル２１へ導光する透明アクリル樹脂製の導光板（図示せず）と、該導光板の後面に配設される反射シート（図示せず）と、表示パネル２１および上記導光板および上記反射シートを保持する合成樹脂製のパネルケース２３とで構成されている。
【００２３】
本実施形態においては、器具本体１０の左右幅に略等しい左右幅を有し器具本体１０の上下幅よりも小さな上下幅を有する正方形状の表示ユニット２０と表示ユニット２０の表示パネル２１の上縁に沿って配設されたランプホルダユニット３０とで器具本体１０の前面開口を覆い、且つ、表示ユニット２０とランプホルダユニット３０とを合わせた外周形状が器具本体１０において前面開口を囲む部位の外周形状に沿っている。しかして、本実施形態では、すっきりした外観にすることができるとともに、表示パネル２１の表示面の輝度の均整度を高くすることができる。
【００２４】
器具本体１０は、合成樹脂成形品よりなり、器具本体１０内には、上記冷陰極蛍光灯を高周波点灯方式で点灯させる点灯装置４、商用電源の停電時に点灯装置４へ給電するための非常用電源たる蓄電池を有する非常用電源ブロック６などが配設されている。ここに、点灯装置４は、商用電源からの電源電線（図示せず）を接続する端子台７に電線（図示せず）を介して接続されるとともに、非常用電源ブロック６から導出された電線５２に設けたコネクタ５２ａへ結合されるコネクタ５５ａを備えた電線５５が接続されており、通常は商用電源により給電されて上記冷陰極蛍光灯を点灯させ、商用電源の停電時には非常用電源ブロック６の蓄電池により給電されて上記冷陰極蛍光灯を点灯させるように構成されている。
【００２５】
また、器具本体１０は、端子台７に接続する商用電源からの電源電線を器具本体１０内に挿入する電線挿通穴を形成する切除可能な楕円形状のノックアウト部１１が、後壁に形成されている。また、器具本体１０の後壁には、壁面に直付けする際に用いる取付ねじを挿通させるためのねじ挿通孔を形成する切除可能なノックアウト部１３’，１３”が形成されている。ここに、一方のノックアウト部１３’は縦長であって左右方向に２つ並設され、他方のノックアウト部１３”は横長に形成されているので、壁面に直付けする場合に２つのノックアウト部１３’のうちのどちらを選択するかによって２種類の取付ピッチに対応することができる。また、器具本体１０の上壁には、天井面に直付けする際に用いる取付ねじを挿通するねじ挿通孔を形成する切除可能な２つのノックアウト部１３，１３が左右方向に離間して形成されている。さらに、器具本体１０の上壁の中央部には端子台７に接続する商用電源からの電源電線を器具本体１０内に挿入する電線挿通穴５９（図１参照）を形成する切除可能なノックアウト部（図示せず）が設けられている。したがって、器具本体１０を壁面に取り付ける場合、天井面に取り付ける場合など、必要に応じて電線挿通穴およびねじ挿通孔を形成することにより、電源電線が挿入されない電線挿通穴や取付ねじが挿通されないねじ挿通孔が生じるのを防ぐことができ、美観を高めることが可能になる。
【００２６】
ところで、上述の端子台７は、器具本体１０内に配設された金属製の取付金具８に取り付けられる。また、取付金具８には、電源電線が挿通可能な挿通孔８ｅ、上記ノックアウト部１３’，１３”に重なる部位に壁へ直付けする際に用いる取付ねじが挿通される取付孔８ｆ，８ｇが形成されている。要するに、取付金具８は、器具本体１０を壁に直付けするための取付ねじ（図示せず）が挿通される取付孔８ｆ，８ｇが形成されているので、器具本体１０を壁面に直付け施工する際に取付ねじの締め付けにより器具本体１０が破損したり劣化したりするのを防ぐことができる。また、器具本体１０の上壁の下面には金属製の補強金具（図示せず）が固定ねじにより取着されており、この補強金具には、ノックアウト部１３，１３に重なる部位に天井面へ直付けする際に用いる取付ねじが挿通される取付孔がねじ挿通孔に対応した（重なる）形状に形成され、電線挿通穴５９に重なる部位に電源電線が挿通可能な挿通孔が形成されている。
【００２７】
ランプホルダユニット３０は、器具本体１０の前面側に位置する前板３１ａと、前板３１ａの上端縁から後方に向かって連続一体に形成された上板（図示せず）と、前板３１ａの両側縁からそれぞれ後方に向かって突設された一対の側板３１ｃ，３１ｃと、上板の両端部において下方に突設され上記冷陰極蛍光灯および下方が開放された断面Ｕ字状の反射板および上記冷陰極蛍光灯を支持する一対の支持台とが連続一体に形成された合成樹脂製のユニット本体３１を備えている。ランプホルダユニット３０は、ユニット本体３１の一対の支持台（図示せず）により上記冷陰極蛍光灯の両端部が支持されている。上記冷陰極蛍光灯は、両端部から突出したリード線（図示せず）にそれぞれ接続端子（図示せず）が接続されている。上記接続端子は、ユニット本体３１の支持台に下面側から着脱自在に結合される合成樹脂製のホルダブロックに保持され、ユニット本体３１の後方へ突出する。
【００２８】
要するに、ランプホルダユニット３０は、長手方向の両端部からそれぞれ上記接続端子が後方へ向かって突出している。また、ランプホルダユニット３０は、器具本体１０に取り付けた状態で上記冷陰極蛍光灯が上記導光板の上端面に対向する位置に配置される位置に上記冷陰極蛍光灯を保持している。ユニット本体３１は、上述のように合成樹脂製であって、器具本体１０およびパネルケース２３と同じ材料で形成され且つ同じ色としてあるので、美観を高めることができる。
【００２９】
ランプホルダユニット３０は、断面Ｌ字状であって器具本体１０の上部における左右の角部の内面に沿うように配列されたガイド片３３，３３が後方に向かって連続一体に突設されるとともに、各端子端子それぞれの外側の部位で各接続端子に重なる感電防止脚４５（図１参照）が突設されている。
【００３０】
一方、器具本体１０において両側壁の上部の内側には、点灯装置４にそれぞれランプリード線（図示せず）を介して接続されランプホルダユニット３０の上記接続端子が前方から挿入接続されるコネクタ５０，５０（図１参照）が配置されている。ここにおいて、各コネクタ５０は直方体状に形成された絶縁性のカバー５０ａの長手方向の両端面に端子挿入口５０ｂが開口されている。ここにおいて、各コネクタ５０は、カバー５０ａと器具本体１０の各側壁との間に上述の感電防止脚４５が前方から挿入される隙間が形成されるように器具本体１０に対して取り付けられている。
【００３１】
ユニット本体３１は、側板３１ｃの後部に器具本体１０からランプホルダユニット３０を取り外すための操作用凹部３１ｅが設けられいる。操作用凹部３１ｅは器具本体１０の前端縁に平行な面における内周面が円弧状に形成されており、マイナスドライバの先端部やコインの一部を操作用凹部３１ｅに挿入してランプホルダユニット３０が器具本体１０から離れる向きに力を作用させることにより、器具本体１０からランプホルダユニット３０を取り外すことができるようになっている。要するに、本実施形態の誘導灯は、表示ユニット２０が器具本体１０に取り付けられた状態でランプホルダユニット３０が器具本体１０に着脱自在となっている。
【００３２】
ここにおいて、ランプホルダユニット３０は、感電防止脚４５の一部を左右方向において上記接続端子の外側に重複させてあるので、ランプホルダユニット３０の取り外し時にマイナスドライバの先端部やコインなどが上記接続端子に当たるのを感電防止脚４５によって防ぐことができるから、上記冷陰極蛍光灯へ電流が流れている状態でランプホルダユニット３０を取り外そうとした際に上記接続端子にマイナスドライバの先端部やコインなどが接触して感電するのを防止することができるとともに、上記接続端子に傷が付くのを防ぐことができる。また、本実施形態においては、ランプホルダユニット３０は、器具本体１０の前方から器具本体１０に取り付けられ、器具本体１０から手前に取り外すことができるので、ランプホルダユニット３０の着脱時に器具本体１０の前面側においてランプホルダユニット３０を前後方向に移動させるだけでよいから（つまり、表示パネル２１の表示面に略直交する方向にランプホルダユニット３０を移動させるだけでよいから）、器具本体１０が天井直付けや壁取付けなどの取付方法に関わらず、器具本体１０の近くに天井や壁があっても器具本体１０へのランプホルダユニット３０の着脱作業に支障をきたすこともない。
【００３３】
表示ユニット２０のパネルケース２３は、器具本体１０と同じ材料により形成されており、図６および図７に示すようにパネルケース２３の後面において左右両端部にはそれぞれＬ字状の係合突起２４が２つずつ上下方向に沿って突設されている。ここに、係合突起２４は、パネルケース２３の後面から後方に向かって突出した突出片と、突出片の先端部から外方に延設された支持片とからなる。また、上下方向に沿って突設された２つの係合突起２４，２４の間の部位には、器具本体１０の両側壁の内側面に当接して器具本体１０の変形を防止する変形防止突起２５が突設されている。
【００３４】
ところで、器具本体１０における両側壁の前部の各内側面には、器具本体１０の下壁に略平行であって表示ユニット２０のパネルケース２３の後面から突設されたＬ字状の係合突起２４の支持片の下端縁が上面に当接し表示ユニット２０の下方向への移動を規制する規制片１８ａと、器具本体１０の前端縁に略平行であって規制片１８ａの前端縁から連続一体に形成され上記係合突起２４の支持片が後面側に重複する保持片１８ｂとからなるＬ字状のガイド壁１８が２つずつ突設されている。
【００３５】
器具本体１０に表示ユニット２０を取り付けるには、図４に示すように器具本体１０の前方へ表示ユニット２０を位置させて、図５に示すように器具本体１０の両側壁の各前端縁にパネルケース２３の後面が当接するように器具本体１０と表示ユニット２０との左右方向の位置を合わせ、且つ、器具本体１０の両側壁の内面に突設された各ガイド壁１８に対応する各係合突起２４が上方向にずれるように表示ユニット２０の下面を器具本体１０の下面よりも上方向にずらしている状態から、器具本体１０の両側壁の各前端縁にパネルケース２３の後面を当接させながら表示ユニット２０を下方（図５における下方）に摺動させると、各係合突起２４の各支持片の下端縁が各ガイド壁１８それぞれの規制片１８ａの上面に当接し且つ各係合突起２４の支持片の前面が各ガイド壁１８それぞれの保持片１８ｂの後面に当接して、図３に示すように表示ユニット２０が器具本体１０に仮保持され、器具本体１０に対する表示ユニット２０の左右方向、下方向、および前後方向への移動が規制されるようになる。図４中の矢印Ａは器具本体１０への表示ユニット２０の取付作業時における係合突起２４の移動経路を示す。
【００３６】
すなわち、表示ユニット２０は、上下方向にスライド自在であって、表示ユニット２０の係合突起２４が器具本体１０のガイド壁１８に係合することにより、器具本体１０へ取り付けられる。
【００３７】
また、表示ユニット２０は、器具本体１０の周壁のうち左右両側壁の内周面に係合して器具本体１０の左右両側壁の内方への変形を防止する変形防止突起２５（図８（ａ）参照）が後面から上下方向（つまりスライド方向）に沿って突設されているので、仮に図９に示すように合成樹脂成形品である器具本体１０の左右両側壁が内側に反っていても表示ユニット２０の係合突起２４（図８（ａ）参照）が器具本体１０のガイド壁１８（図８（ｂ）参照）に係合するように器具本体１０へスライド自在に取り付ける際に、変形防止突起２５により器具本体１０の両側壁の反りが緩和され、器具本体１０の反りによって器具本体１０への表示ユニット２０の取付精度が低下するのを防止することができるとともに誘導灯器具全体の外観が損なわれるのを防止することができる。
【００３８】
しかして、本実施形態の誘導灯では、表示ユニット２０を器具本体１０の前面に沿ってスライドさせることにより器具本体１０に着脱でき、器具本体１０が取付ねじを用いて天井に直付けされている場合であっても従来に比べて表示ユニット２０の着脱作業に伴って取付ねじの周り（つまり、取付ねじが挿通されたねじ挿通孔の周り）で器具本体１０の上壁にかかる力を小さくできて器具本体１０の破損の恐れがないから、施工時および使用時の安全性を高めることが可能で器具本体１０の薄型化および小型化を図ることができ、結果的に誘導灯器具全体の薄型化および小型化を図ることができる。なお、本実施形態では、ガイド壁１８と係合突起２４とで、表示ユニット２０を器具本体１０の前面に沿ってスライド自在に取り付けるユニット取付手段を構成している。
【００３９】
上述のガイド壁１８の形成位置は、表示ユニット２０が器具本体１０に取り付けられた状態において、表示ユニット２０の下面と器具本体１０の下面とが面一となり、表示ユニット２０の左右両側面と器具本体１０の左右両側面とがそれぞれ面一となるように設定されている。また、表示ユニット２１は、パネルケース２３の後面から突設された係合突起２４の支持片における上記後面との対向面に、取付時のスライド方向（図５における下方向）において先にガイド壁１８に係合する側（図５における下側）ほど上記後面との距離を大きくする傾斜面２４ａ（図５参照）が形成され、係合突起２４の支持片の下端縁が規制片１８ａに当接した状態で器具本体１０のスライド方向に沿った前端縁と当該前端縁の対向面とが密接するので、表示ユニット２０を取り付けるためにスライドさせる際、係合突起２４がガイド壁１８に係合し始めた段階ではスムーズにスライドし、その後、係合突起２４がガイド壁１８に係合し終える段階で表示ユニット２０が器具本体１０側へ引き寄せられるから、表示ユニット２０のスライドが容易である。また、器具本体１０が取付ねじを用いて天井に直付けされている場合であっても従来に比べて表示ユニット２０の着脱作業に伴って取付ねじの周りで器具本体１０の上壁にかかる力を小さくでき、しかも、表示ユニット２０を器具本体１０に取り付けた状態では器具本体１０の上面を除いた外周面と表示ユニット２０の上面を除いた外周面との間に隙間が形成されないから、外観が向上する。
【００４０】
器具本体１０に表示ユニット２０が仮保持された状態では、器具本体１０の上面を含む平面と表示パネル２１の上端面との間にランプホルダユニット３０の上下幅よりもやや小さな隙間が形成される。ランプホルダユニット３０は、表示ユニット２０が器具本体１０に取り付けられた状態において、この隙間を塞ぎ表示ユニット２０と合わせて器具本体１０の前面開口を覆う形で器具本体１０の前面に着脱自在に取り付けられる。ここに、ユニット本体３１の前板３１ａの下部の一部は前後方向において表示パネル２１の上部に重なるように位置しているので、ユニット本体３１の下端部の一部で表示パネル２１の上部が押えられることになり、表示ユニット２０を器具本体１０に固定することができ、器具本体１０からの表示ユニット２０の離脱を防止することができる。
【００４１】
ランプホルダユニット３０は、上述のように、器具本体１０に表示ユニット２０が取り付けられた状態で器具本体１０に着脱自在であって、器具本体１０からの表示ユニット２０の離脱を防止する機能を有するので、ランプホルダユニット３０を取り外した状態で表示ユニット２０をスライドさせることにより器具本体１０から表示ユニット２０を取り外すことができる構成を採用しながらもランプホルダユニット３０以外の部材を用いることなく表示ユニット２０の離脱を防止することができ、施工性が向上する。
【００４２】
表示ユニット２０を器具本体１０から取り外すには、ランプホルダユニット３０が器具本体１０から取り外された状態で、表示ユニット２０をガイド壁１８と係合突起２４とが重ならない位置まで上方向へスライドさせた後に前方へ取り外せばよい。
【００４３】
本実施形態の誘導灯では、冷陰極蛍光灯の交換時にはランプホルダユニット３０毎に交換するようになっているので、施工時に冷陰極蛍光灯に過度な外力が加わることがなく、冷陰極蛍光灯の破損を防止することができる。しかも、施工時や冷陰極蛍光灯の交換時には、器具本体１０に表示ユニット２０が取り付けられた状態で、ランプホルダユニット３０の取り付けや交換ができるので、表示ユニット２０の落下の恐れもなく表示ユニット２０の落下を防止するための落下防止機構（落下防止手段）を設ける必要がなく、冷陰極蛍光灯の破損の恐れもないから、施工性が向上する。
【００４４】
上記実施形態の誘導灯では、表示ユニット２０を器具本体１０の前面に沿って上下方向にスライド自在とし、下方向にスライドさせることで器具本体１０に取り付けているが、表示ユニット２０を器具本体１０の前面に沿って左右方向とスライド自在として器具本体１０に着脱自在としてもよい。このように表示ユニット２０を左右方向にスライド自在とする場合には、例えば図１０（ｂ）に示すように表示ユニット２０のパネルケース２３の後面における上部および下部にそれぞれ係合突起２４を突設し、図１０に示すように表示ユニット２０を器具本体１０の前方に位置させ図１０（ｂ）中の矢印Ｂのように表示ユニット２０をまず器具本体１０に近づける向きに移動させた後に右方向へスライドさせることで図１１に示すように表示ユニット２０を器具本体１０に取り付け、その後、ランプホルダユニット３０を長手方向を上下方向として器具本体１０へ取り付ければよい。なお、表示ユニット２０を左右方向にスライドさせる場合、ガイド壁１８、コネクタ５０などの位置を適宜変更することは勿論である。
【００４５】
（参考例１）
本参考例の誘導灯の基本構成は実施形態１と略同じであって、図１２に示すように、表示用ユニット２０の下端縁が器具本体１０の下端縁に回動自在に枢設されている点に特徴がある。なお、実施形態１と同様の構成要素には同一の符号を付して説明を省略する。
【００４６】
本参考例においては、表示ユニット２０のパネルケース２３の下端縁と器具本体１０の下端縁とを薄肉のヒンジ部６２により回動自在としている。ここに、ヒンジ部６２は、器具本体１０およびパネルケース２３とともに合成樹脂で一体成形している。なお、ヒンジ部６２は上記構成に限らず、例えば、ヒンジ部６２をパネルケース２３のみに一体成形するとともに、器具本体１０の下壁の上面にダボを設け、このダボが嵌合する嵌合穴が形成された連結片をヒンジ部６２から延設するようにしてもよい。
【００４７】
また、パネルケース２３は、後面における左右両端部の上部から後方に向かって取付片２７が突設されており、取付片２７の外側面には、器具本体１０の左右両側壁の内側面にそれぞれ形成された凹所（図示せず）に係止される係止爪２７ａが突設されている。したがって、本参考例の誘導灯では、表示ユニット２０の上部が器具本体１０に近づく向き、すなわち、図１２中の矢印Ｃの向きに表示ユニット２０を回動させることにより、取付片２７の係止爪２７ａが器具本体１０の両側壁の内側面に形成された凹所に係止されるので、器具本体１０へ表示ユニット２０を簡単に取り付けることができる。その後、ランプホルダユニット３０を器具本体１０の前方から器具本体１０に近づく向き、すなわち、図１２中の矢印Ｄの向きに押し込むことにより、ランプホルダユニット３０が器具本体１０に取り付けられるとともに、ランプホルダユニット３０によって表示ユニット２０の上部が器具本体１０から離脱するのを防ぐことができる。なお、器具本体１０に表示ユニット２０が取り付けられた状態から表示ユニット２０の上部を器具本体１０から離す向きに回動させたい場合には、パネルケース２３の側面の上部において器具本体１０側に形成された凹部（図示せず）にマイナスドライバなどの先端部を挿入して器具本体１０から表示ユニット２０の上部が離れような力を作用させることにより、係止爪２７ａの上記凹所への係止を解除して表示ユニット２０の上部を図１２中の矢印Ｃの反対向きに回動させればよい。
【００４８】
以上説明したように、本参考例においては、ランプホルダユニット３０を器具本体１０へ取り付けることにより表示ユニット２０の器具本体１０からの離脱が防止されるから、パネルケース２３の後面からの取付片２７の突出寸法を比較的小さくできる。なお、本参考例では、取付片２７の突出寸法を器具本体１０の前後方向の幅寸法の半分程度に設定してある。
【００４９】
しかして、本参考例の誘導灯では、表示ユニット２０の一端縁である下端縁が器具本体１０の一端縁である下端縁に回動自在に枢設されているので、表示ユニット２０を回動させることにより表示ユニット２０が器具本体１０に着脱され、器具本体１０が取付ねじを用いて天井に直付けされている場合であっても従来に比べて表示ユニット２０の着脱作業に伴って取付ねじの周り（つまり、ねじ挿通孔の周り）で器具本体１０の上壁にかかる力を小さくできて器具本体１０の破損の恐れがないから、施工時および使用時の安全性を高めることが可能で器具本体１０の薄型化および小型化を図ることができ、結果的に誘導灯器具全体の薄型化および小型化を図ることができる。
【００５０】
また、表示ユニット２０の下端縁が器具本体１０の下端縁にヒンジ部６２により枢設されているので、器具本体１０への表示ユニット２０の取付精度を高めることができ、施工時および使用時の安全性を高めることができる。
【００５１】
（参考例２）
本参考例の誘導灯の基本構成は実施形態１と略同じであって、図１３に示すように、表示用ユニット２０の下端縁が器具本体１０の下端縁に回動自在に枢設されている点に特徴がある。なお、実施形態１と同様の構成要素には同一の符号を付して説明を省略する。
【００５２】
本参考例においては、器具本体１０の下壁の上面における前端部に軸部１６が上方へ突設され、表示ユニット２０のパネルケース２３の後面の下部からは軸部１６に回動自在に係合する引掛部２２が突設されており、表示ユニット２０が器具本体１０に対して回動自在となっている。
【００５３】
また、パネルケース２３は、後面における左右両端部の上部から後方に向かって取付片２７が突設されており、取付片２７の外側面には、器具本体１０の左右両側壁の内側面にそれぞれ形成された凹所（図示せず）に係止される係止爪２７ａが突設されている。したがって、本参考例の誘導灯では、表示ユニット２０の上部が器具本体１０に近づく向き、すなわち、図１３中の矢印Ｃの向きに表示ユニット２０を回動させることにより、取付片２７の係止爪２７ａが器具本体１０の両側壁の内側面に形成された凹所に係止されるので、器具本体１０へ表示ユニット２０を簡単に取り付けることができる。その後、ランプホルダユニット３０を器具本体１０の前方から器具本体１０に近づく向き、すなわち、図１３中の矢印Ｄの向きに押し込むことにより、ランプホルダユニット３０が器具本体１０に取り付けられるとともに、ランプホルダユニット３０によって表示ユニット２０の上部が器具本体１０から離脱するのを防ぐことができる。なお、器具本体１０に表示ユニット２０が取り付けられた状態から表示ユニット２０の上部を器具本体１０から離す向きに回動させたい場合には、パネルケース２３の側面の上部において器具本体１０側に形成された凹部（図示せず）にマイナスドライバなどの先端部を挿入して器具本体１０から表示ユニット２０の上部が離れような力を作用させることにより、係止爪２７ａの上記凹所への係止を解除して表示ユニット２０の上部を図１３中の矢印Ｃの反対向きに回動させればよい。
【００５４】
以上説明したように、本参考例においては、ランプホルダユニット３０を器具本体１０へ取り付けることにより表示ユニット２０の器具本体１０からの離脱が防止されるから、パネルケース２３の後面からの取付片２７の突出寸法を比較的小さくできる。なお、本参考例では、取付片２７の突出寸法を器具本体１０の前後方向の幅寸法の半分程度に設定してある。
【００５５】
しかして、本参考例の誘導灯では、表示ユニット２０の一端縁である下端縁が器具本体１０の一端縁である下端縁に回動自在に枢設されているので、表示ユニット２０を回動させることにより表示ユニット２０が器具本体１０に着脱され、器具本体１０が取付ねじを用いて天井に直付けされている場合であっても従来に比べて表示ユニット２０の着脱作業に伴って取付ねじの周り（つまり、ねじ挿通孔の周り）で器具本体１０の上壁にかかる力を小さくできて器具本体１０の破損の恐れがないから、施工時および使用時の安全性を高めることが可能で器具本体１０の薄型化および小型化を図ることができ、結果的に誘導灯器具全体の薄型化および小型化を図ることができる。
【００５６】
（参考例３）
本参考例の誘導灯の基本構成は実施形態１と略同じであって、図１４に示すように、表示用ユニット２０の一側縁が器具本体１０の一側縁に回動自在に枢設されている点に特徴がある。なお、実施形態１と同様の構成要素には同一の符号を付して説明を省略する。
【００５７】
本参考例においては、参考例１と同様に表示ユニット２０をヒンジ部（図示せず）により回動自在としているが、参考例２と同様に軸部と引掛部との係合により回動自在としてもよい。
【００５８】
また、パネルケース２３は、一側縁が器具本体１０に回動自在に枢設され、他端縁近傍の後面から後方に向かって後方が開放されたＥ字状の取付部２８が突設されており、取付部２８の中間足の先端部には、器具本体１０の側壁の内側面に形成された凹所（図示せず）に係止される係止爪２８ａが突設されている。したがって、本参考例の誘導灯では、表示ユニット２０の右端部が器具本体１０に近づく向きに表示ユニット２０を回動させることにより、取付部２８の係止爪２８ａが器具本体１０の側壁の内側面に形成された上記凹所に係止されるので、器具本体１０へ表示ユニット２０を簡単に取り付けることができる。その後、ランプホルダユニット３０を器具本体１０の前方から器具本体１０に近づく向きに押し込むことにより、ランプホルダユニット３０が器具本体１０に取り付けられるとともに、ランプホルダユニット３０によって表示ユニット２０の右端部が器具本体１０から離脱するのを防ぐことができる。なお、器具本体１０に表示ユニット２０が取り付けられた状態から表示ユニット２０の右端部を器具本体１０から離す向きに回動させたい場合には、パネルケース２３の側面において器具本体１０側に形成された凹部（図示せず）にマイナスドライバなどの先端部を挿入して器具本体１０から表示ユニット２０の上部が離れような力を作用させることにより、係止爪２８ａの上記凹所への係止を解除して表示ユニット２０の右端部を器具本体１０から離れるように回動させればよい。
【００５９】
以上説明したように、本参考例においては、ランプホルダユニット３０を器具本体１０へ取り付けることにより表示ユニット２０の器具本体１０からの離脱が防止されるから、パネルケース２３の後面からの取付部２８の突出寸法を比較的小さくできる。
【００６０】
しかして、本参考例の誘導灯では、表示ユニット２０の一端縁である一側縁が器具本体１０の一端縁である一側縁に回動自在に枢設されているので、表示ユニット２０を回動させることにより表示ユニット２０が器具本体１０に着脱され、器具本体１０が取付ねじを用いて天井に直付けされている場合であっても従来に比べて表示ユニット２０の着脱作業に伴って取付ねじの周り（つまり、ねじ挿通孔の周り）で器具本体１０の上壁にかかる力を小さくできて器具本体１０の破損の恐れがないから、施工時および使用時の安全性を高めることが可能で器具本体１０の薄型化および小型化を図ることができ、結果的に誘導灯器具全体の薄型化および小型化を図ることができる。
【００６１】
（参考例４）
本参考例の誘導灯は、図１５に示すように、表示パネル２１および表示パネル２１の後面側に配設され上端面に対向配置された光源たる直管形の冷陰極蛍光灯（図示せず）の光を表示パネル２１へ導光する導光板（図示せず）を有する表示ユニット２０と、上記冷陰極蛍光灯を内蔵し表示ユニット２０の一端縁に装着されたランプホルダユニット３０’と、表示ユニット２０の後面に配設され上記冷陰極蛍光灯を点灯させる点灯装置４とを備えている。また、表示ユニット２０の後面には商用電源の停電時に点灯装置４へ電源を供給する非常用電源ブロック６が配設されている。非常用電源ブロック６からは先端にコネクタ５２ａが設けられた電線５２が接続されており、このコネクタ５２ａが点灯装置４に接続された電線５５の先端に設けられたコネクタ５５ａに接続されている。本参考例においては、実施形態１で説明した器具本体１０を必要としないので、誘導灯器具全体（照明器具全体）の薄型化を図ることができるとともに、低コスト化を図ることができる。
【００６２】
ところで、ランプホルダユニット３０’が装着された表示ユニット２０は、壁面などの施工面に固定された取付金具７０に取り付けられる。取付金具７０は、図１５および図１６に示すように、金具用取付ねじ（図示せず）が挿通されるねじ挿通孔７１ｂ，７１ｃが上下方向に沿って形成され壁面Ｗに当接する矩形板状の固定片７１と、固定片７１の左右両端部からそれぞれ前方へ延設された両脚片７２，７２とを備え、両脚片７２，７２の先端部からは固定片７１に略平行な一対の取付片７３，７３が互いに離れる向きに延設されている。ここにおいて、取付片７３には、表示ユニット２０のパネルケース２３の後面から突設された係合片２６が係合する２つの係合孔７３ａが上下方向に沿って設けられている。係合片２６は、パネルケース２３の後面における左右両端部からそれぞれ２つずつ突設されている。また、係合片２６は、先端部とパネルケース２３の後面との間に先端部に比べて上下幅の小さい幅狭部が形成されている。また、上述の係合孔７３ａは縦長の長方形状に形成されており、上下方向の開口幅が係合片２６の先端部の上下幅よりも大きく設定されている。したがって、ランプホルダユニット３０’が装着された表示ユニット２０を取付金具７０に取り付けるには、係合片２６を係合孔７３ａに通した後に表示ユニット２０を下方へ移動（スライド）させることで係合片２６の幅狭部の下端縁を係合孔７３ａの内周面に当接させればよい。なお、本参考例では、係合片２６が施工面に固定された取付金具７０に取り付けるための取付手段を構成している。
【００６３】
また、取付金具７０の固定片７１の前面には、固定片７１の中央部に穿孔された電線挿通穴７１ａを挿通された電源電線を接続する端子台７が配設されている。なお、端子台７は、先端にコネクタ５３ａを備えた電線５３が接続されており、このコネクタ５３ａが点灯装置４に接続された電線５４の先端に設けられたコネクタ５４ａに接続されるようになっている。
【００６４】
しかして、本参考例では、従来のように点灯装置４や端子台７などを収納する器具本体を表示ユニット２０の後面側に設ける必要がないので、誘導灯器具全体の薄型化および小型化を図ることができるとともに、低コスト化を図ることができる。
【００６５】
ところで、上述の誘導灯は取付金具７０を介して壁面Ｗに取り付けられるものであったが、上述の誘導灯を天井に取り付ける場合には、上記取付金具７０を上方に延伸して上端部からさらに前方へ延設し、この延設した部分に上述のねじ挿通孔７１ｂ，７１ｃ、電線挿通穴７１ａなどを設ければよい。なお、天井取付用と壁面取付用とで取付金具７０を共通化してもよいことは勿論である。
【００６６】
【発明の効果】
請求項１の発明は、前面開口した直方体状の器具本体と、前記器具本体内に配設され光源を点灯させる点灯装置と、矩形状の表示パネルおよび前記表示パネルの後面側に配設され端面に対向配置された前記光源の光を前記表示パネルへ導光する導光板を有し前記器具本体の前面に沿って設けられる表示ユニットと、前記表示ユニットを前記器具本体へ前記器具本体の前面に沿ってスライド自在に取り付けるユニット取付手段とを備えてなるものであり、前記表示ユニットを前記器具本体へ前記器具本体の前面に沿ってスライド自在に取り付けるユニット取付手段を備えているので、前記表示ユニットを前記器具本体の前面に沿ってスライドさせることにより前記器具本体に着脱でき、前記器具本体が取付ねじを用いて天井に直付けされている場合であっても従来に比べて前記表示ユニットの着脱作業に伴って取付ねじの周りで前記器具本体の上壁にかかる力を小さくできて前記器具本体の破損の恐れがないから、施工時および使用時の安全性を高めることが可能で前記器具本体の薄型化および小型化を図ることができ、結果的に照明器具全体の薄型化および小型化を図ることができるという効果がある。
しかも、前記ユニット取付手段は、前記器具本体の内側面から前記器具本体の前面に沿って突設された保持片と前記器具本体の内側面から前記器具本体の前後方向に沿って突設された規制片とからなるガイド壁と、前記表示ユニットの後面からスライド方向に沿って後方に突出した突出片と突出片から外方へ延設され前記保持片に重複し且つ前記規制片に当接する支持片とからなりガイド壁に係合する係合突起とを備え、前記支持片における前記表示ユニットの後面との対向面には、前記器具本体への取付時のスライド方向において先にガイド壁に係合する側ほど前記後面との距離を大きくする傾斜面が形成されてなるので、前記表示ユニットのスライドが容易であり、また、前記器具本体が取付ねじを用いて天井に直付けされている場合であっても従来に比べて前記表示ユニットの着脱作業に伴って取付ねじの周りで前記器具本体の上壁にかかる力を小さくできるという効果がある。
【００６７】
請求項２の発明は、請求項１の発明において、前記表示ユニットが、前記器具本体の上下方向へスライド自在であって下方向にスライドさせることにより前記器具本体に取り付けられているので、前記表示ユニットの着脱時には上下方向に力がかかり、前記器具本体が取付ねじを用いて天井に直付けされている場合であっても従来に比べて前記表示ユニットの着脱作業に伴って取付ねじの周りで器具本体の上壁にかかる力を小さくでき、照明器具全体の薄型化および小型化を図ることができるという効果がある。
【００６８】
請求項３の発明は、請求項１の発明において、前記表示ユニットが、前記器具本体に対して左右方向にスライド自在なので、前記表示ユニットの着脱時には前記器具本体の左右方向に力がかかり、前記器具本体が取付ねじを用いて天井に直付けされている場合であっても従来に比べて前記表示ユニットの着脱作業に伴って取付ねじの周りで器具本体の上壁にかかる力を小さくでき、照明器具全体の薄型化および小型化を図ることができるという効果がある。
【００７４】
請求項４の発明は、請求項１の発明において、前記表示ユニットは、前記器具本体の内側面に係合して前記器具本体の周壁の内方への変形を防止する変形防止突起が後面から突設されているので、前記器具本体の周壁の内側への反りによって前記器具本体への前記表示ユニットの取付精度が低下するのを防止することができるとともに照明器具全体の外観が損なわれるのを防止することができるという効果がある。
【００７５】
請求項５の発明は、請求項２の発明において、前記光源が内装され器具本体に着脱自在なランプホルダユニットを備え、前記ランプホルダユニットが、前記器具本体に前記表示ユニットが取り付けられた状態で前記器具本体に着脱自在であって、前記ランプホルダユニットの一部が前記表示パネルの上部に重なるように位置することで前記器具本体からの前記表示ユニットの離脱が防止されるので、光源の交換に際しては前記ランプホルダユニットの着脱のみでよいから光源の破損を防止できて交換作業が容易になり、しかも、前記器具本体に前記表示ユニットが取り付けられた状態で前記ランプホルダユニットを前記器具本体へ取り付けることにより前記器具本体からの前記表示ユニットの離脱が防止されるから、前記ランプホルダユニットを取り外した状態で前記表示ユニットをスライドさせることにより前記器具本体から前記表示ユニットを取り外すことができる構成を採用しながらも前記ランプホルダユニット以外の部材を用いることなく前記表示ユニットの離脱を防止することができ、施工性が向上するという効果がある。
【図面の簡単な説明】
【図１】  実施形態１の分解斜視図である。
【図２】  同上の斜視図である。
【図３】  同上におけるランプホルダユニットを取り外した状態の側面図である。
【図４】  同上における器具本体への表示ユニットの取り付け方の説明図である。
【図５】  同上における器具本体への表示ユニットの取り付け方の説明図である。
【図６】  同上における表示ユニットを示し、（ａ）は背面図、（ｂ）は側面図である。
【図７】  同上における表示ユニットを背面側から見た一部破断した斜視図である。
【図８】  同上における表示ユニットの器具本体への取り付け方の説明図である。
【図９】  同上における器具本体の説明図である。
【図１０】  同上の他の構成例における器具本体への表示ユニットの取り付け方の説明図である。
【図１１】  同上の他の構成例における器具本体への表示ユニットの取り付け方の説明図である。
【図１２】  参考例１における器具本体への表示ユニットおよびランプホルダユニットの取り付け方の説明図である。
【図１３】  参考例２における器具本体への表示ユニットおよびランプホルダユニットの取り付け方の説明図である。
【図１４】  参考例３における器具本体への表示ユニットおよびランプホルダユニットの取り付け方の説明図である。
【図１５】  参考例４の後面側から見た斜視図である。
【図１６】  同上の使用状態の側面図である。
【図１７】  従来例を示す分解斜視図である。
【符号の説明】
１０  器具本体
１８  ガイド壁
１８ａ  規制片
１８ｂ  保持片
２０  表示ユニット
２１  表示パネル
２３  パネルケース
２４  係合突起
３０  ランプホルダユニット
【図１】
0003743270.tif 000002
【図２】
0003743270.tif 000003
【図３】
0003743270.tif 000004
【図４】
0003743270.tif 000005
【図５】
0003743270.tif 000006
【図６】
0003743270.tif 000007
【図７】
0003743270.tif 000008
【図８】
0003743270.tif 000009
【図９】
0003743270.tif 000010
【図１０】
0003743270.tif 000011
【図１１】
0003743270.tif 000012
【図１２】
0003743270.tif 000013
【図１３】
0003743270.tif 000014
【図１４】
0003743270.tif 000015
【図１５】
0003743270.tif 000016
【図１６】
0003743270.tif 000017
【図１７】
0003743270.tif 000018